(57)【要約】      （修正有）【課題】  カードの装着に伴って動作するスイッチの可動接点として捻りコイルばねを用い、切換用固定接点に対する移動ストロークを稼げるようにすることで、安価で小型化に好適なカード用コネクタ装置を提供すること。【解決手段】  カード２が所定の装着位置に装着されたことを検出する第１スイッチ１９を、カード２によって下方へ押し込まれるアクチュエータ部材２４と、巻回部２３ａの両端から第１の腕部２３ｂと第２の腕部２３ｃを延出させた捻りコイルばね２３と、ハウジング１に所定間隔を存して配設されたコモン用固定接点２１および切換用固定接点２２とで構成し、捻りコイルばね２３の巻回部２３ａをアクチュエータ部材２４の側面に形成した凹部２４ｄ内にフリー状態で保持すると共に、コモン用固定接点２１に第１の腕部２３ｂの移動を規制するストッパ部２１ａを形成し、第２の腕部２３ｃのみが拡開して切換用固定接点２２に接触するように構成した。【選択図】  図５
2006134812.tif 000002
【特許請求の範囲】
【請求項１】
カードがハウジングの装着位置に装着されたことを検出する第１スイッチと、前記カードへの書き込み禁止を検出する第２スイッチとを備え、
これら第１および第２スイッチの少なくとも一方のスイッチが、前記ハウジングに所定間隔を存して配設されたコモン用固定接点および切換用固定接点と、前記コモン用固定接点に常時接触する第１の腕部および前記切換用固定接点に接離可能な第２の腕部を巻回部の両端から延出させた捻りコイルばねからなる可動接点と、この捻りコイルばねを保持するアクチュエータ部材とを含むと共に、前記ハウジングに前記第１の腕部の移動を規制するストッパ部を設け、
前記カードが前記ハウジングの所定位置に装着されたとき、該カードを前記アクチュエータ部材に当接させて前記捻りコイルばねの前記巻回部を押圧することにより、前記ストッパ部で規制された前記第１の腕部に対して前記第２の腕部のみが拡開して前記切換用固定接点に接触するように構成したことを特徴とするカード用コネクタ装置。
【請求項２】
請求項１の記載において、前記ストッパ部が前記コモン用固定接点に折曲形成された段部からなることを特徴とするカード用コネクタ装置。
【請求項３】
請求項１または２の記載において、前記アクチュエータ部材の側面に凹部を設け、この凹部内に前記捻りコイルばねの前記巻回部をフリー状態で保持したことを特徴とするカード用コネクタ装置。
【発明の詳細な説明】
【技術分野】
【０００１】
本発明は、カードがハウジングの装着位置に装着されたことを検出する第１のスイッチ、及びカードへの書き込み禁止を検出する第２スイッチを含むスイッチ機構を備えたカード用コネクタ装置に係り、特に、これら第１および第２スイッチの接点切換構造に関するものである。
【背景技術】
【０００２】
一般的にカード用コネクタ装置には、第１スイッチであるカード認識スイッチと第２スイッチであるライトプロテクト検出スイッチとが備えられており、第１スイッチによってカードがハウジングの装着位置に装着されたことを検出し、第２スイッチによってカードへの書き込み禁止を検出するようになっている。
【０００３】
従来より、これら第１スイッチや第２スイッチの接点切換構造を、ハウジングに設けられた固定接点と、アクチュエータ部材に保持された捻りコイルばねからなる可動接点とで構成し、カードが所定位置に装着されたとき、カードをアクチュエータ部材に当接させて捻りコイルばねを変形させることにより、捻りコイルばねと固定接点を導通させるようにしたカード用コネクタ装置が提案されている（例えば、特許文献１参照）。
【０００４】
図６〜図１０は上記特許文献１に開示された従来例を説明するもので、図６はカード用コネクタ装置の平面図、図７は該カード用コネクタ装置に備えられるロック機構の動作説明図、図８は該カード用コネクタ装置に備えられる第１スイッチと第２スイッチの平面図、図９は図８のIX−IX線に沿う断面図、図１０はこれら第１スイッチと第２スイッチの動作状態を示す断面図である。
【０００５】
これらの図に示すカード用コネクタ装置は合成樹脂製のハウジング１を備えており、このハウジング１に対してカード２が装着されるようになっている。このカード２は情報記憶機能を有しており、図６に示すように、その右側縁に凹部２ａが形成されている。また、カード２の前端部の右隅部には斜めに切り欠かれた切り欠き３が形成されており、さらに、カード２の左側縁には該カード２に対する書き込みを禁止するプロテクトボタン４が配設されている。図６はプロテクトボタン４が書き込み禁止側に操作された状態を示しており、このようにプロテクトボタン４が書き込み禁止側に操作されると、カード２に対する書き込みが禁止される。また、プロテクトボタン４が書き込み禁止側に操作されないと、カード２に対する書き込みが可能となる。
【０００６】
ハウジング１の手前側部分にはカード２を挿入するためのカード挿入口５が形成されており、また、ハウジング１の奥側にはカード２の裏面に設けられた接続部材（図示省略）に接触可能で、外部信号系統に接続される複数の端子部材６が配設されている。さらに、ハウジング１の右側端部には、カード２を排出方向へ押し出すスライダ７と、このスライダ７を排出方向へ付勢するスプリング８とが配設されており、スライダ７の前端部側にはカード２の切り欠き３に係合する傾斜部９が形成されている。
【０００７】
スライダ７には係合弾性部材１０の一端が片持ち支持されており、この係合弾性部材１０の自由端近傍にはカード２の凹部２ａに係合可能な突出部１１が形成されている。また、ハウジング１の右側端部には、スプリング８の付勢力に抗してスライダ７を所定の装着位置にロックするロック機構１２が設けられており、図７に示すように、このロック機構１２は、一端がスライダ７に揺動可能に設けられ他端にピン１３を有する摺動部材１４と、摺動部材１４のピン１３が案内されるハート型カム溝１５とを含んでいる。ハート型カム溝１５は、往路１６と、復路１７と、これらの往路１６と復路１７の境界部を形成するロック部１８とを有する。
【０００８】
一方、ハウジング１の左側端部には、カード２が所定の装着位置に装着されたことを検出する第１スイッチ１９と、カード２に対する書き込み禁止を検出する第２スイッチ２０とが配設されている。これら第１スイッチ１９と第２スイッチ２０はカード挿抜方向に沿って、すなわち図６の上下方向に沿って一直線上に配置されており、第２スイッチ２０をカード挿入口５に近くなる側に位置させ、第１スイッチ１９をカード挿入口５から遠くなる側に位置させてある。
【０００９】
図８〜図９に示すように、第１スイッチ１９は、ハウジング１に設けられた一対の固定接点２１，２２と、可動接点である捻りコイルばね２３と、この捻りコイルばね２３を保持する合成樹脂製のアクチュエータ部材２４とを含んでいる。両固定接点２１，２２はカード挿抜方向に沿って所定間隔を存して配置されており、一方の固定接点２１はコモン用固定接点で、他方の固定接点２２は切換用固定接点である。捻りコイルばね２３は、複数ターン巻回された巻回部２３ａと、巻回部２３ａの両端から延出する第１の腕部２３ｂおよび第２の腕部２３ｃとを有しており、巻回部２３ａはアクチュエータ部材２４に設けられた軸２４ａに挿入されている。捻りコイルばね２３の第１の腕部２３ｂはコモン用固定接点２１に常時接触しているが、第２の腕部２３ｃは切換用固定接点２２に対して接離可能に配置されている。すなわち、カード２がハウジング１に装着されていないとき、捻りコイルばね２３の両腕部２３ｂ，２３ｃは非拡開状態に保たれており、第２の腕部２３ｃは切換用固定接点２２から離反しているが、後述するように、カード２がハウジング１の所定の装着位置に装着されたとき、両腕部２３ｂ，２３ｃの拡開に伴って第２の腕部２３ｃが切換用固定接点２２に接触するようになっている。アクチュエータ部材２４はその一端にピン２４ｂを有し、このピン２４ｂはハウジング１に取り付けられている。また、アクチュエータ部材２４には斜面部２４ｃが形成されており、この斜面部２４ｃがハウジング１に装着されたカード２によって押圧されることにより、アクチュエータ部材２４はピン２４ｂを回動支点として上下方向に移動するようになっている。
【００１０】
第２スイッチ２０も第１スイッチ１９と同様の接点切換構造を有している。すなわち、第２スイッチ２０は、ハウジング１に設けられた一対の固定接点２５，２６と、可動接点である捻りコイルばね２７と、この捻りコイルばね２７を保持する合成樹脂製のアクチュエータ部材２８とを含んでおり、一方の固定接点２５はコモン用固定接点で、他方の固定接点２６は切換用固定接点である。捻りコイルばね２７は、複数ターン巻回された巻回部２７ａと、巻回部２７ａの両端から延出する第１の腕部２７ｂおよび第２の腕部２７ｃとを有しており、巻回部２７ａはアクチュエータ部材２８に設けられた軸２８ａに挿入されている。捻りコイルばね２７の第１の腕部２７ｂはコモン用固定接点２５に常時接触しているが、第２の腕部２７ｃは切換用固定接点２６に対して接離可能に配置されており、カード２がハウジング１の所定の装着位置に装着されたとき、捻りコイルばね２７の両腕部２７ｂ，２７ｃの拡開に伴って第２の腕部２７ｃが切換用固定接点２６に接触するようになっている。アクチュエータ部材２８はその一端にピン２８ｂを有し、このピン２８ｂはハウジング１に取り付けられている。また、アクチュエータ部材２８には斜面部２８ｃが形成されており、この斜面部２８ｃがハウジング１に装着されたカード２によって押圧されることにより、アクチュエータ部材２８はピン２８ｂを回動支点として上下方向に移動するようになっている。
【００１１】
このように構成されたカード用コネクタ装置では、カード２が挿入される前の待機状態において、スライダ７がスプリング８によってカード挿入口５側に付勢されており、これに伴ってスライダ７に連結された摺動部材１４のピン１３がハート型カム溝１５の待機位置に保持されている。また、図９に示すように、かかる待機状態において、第１スイッチ１９の捻りコイルばね２３の第１の腕部２３ｂはコモン用固定接点２１に接触しているが、第２の腕部２３ｃは切換用固定接点２２から離反しているため、カード２が所定の装着位置に装着されたことを検出する第１スイッチ１９はオフ状態となっている。同様に、第２スイッチ２０の捻りコイルばね２７の第１の腕部２７ｂはコモン用固定接点２５に接触しているが、第２の腕部２７ｃは切換用固定接点２５から離反しているため、カード２に対する書き込み禁止を検出する第２スイッチ２０もオフ状態となっている。
【００１２】
いま、図６に示すように、プロテクトボタン４が書き込み禁止側に操作されていない状態に保たれ、カード２に対するデータの書き込み操作が可能な状態にある場合、このようなカード２をカード挿入口５から挿入してハウジング１の奥側に向かって押し込むと、カード２の前端部の隅部に形成された切り欠き３がスライダ７の傾斜部９に係合し、このスライダ７がスプリング８の付勢力に抗してカード２と共に奥側に向って移動する。このスライダ７の移動により、ロック機構１２を構成する摺動部材１４のピン１３がハート型カム溝１５の往路１６上を案内される。なお、かかるカード２の挿入時に、スライダ７に片持ち支持された係合弾性部材１０の突出部１１がカード２の凹部２ａに係合し、カード２が係合弾性部材１０を介してスライダ７に保持される。
【００１３】
カード２がハウジング１内の所定の装着位置に近づくと、第１スイッチ１９側のアクチュエータ部材２４の斜面部２３ｃにカード２が当接し、このカード２に与えられる押し込み力によってアクチュエータ部材２４が捻りコイルばね２３のばね力に抗して下方向に回動する。その結果、図１０（ａ）に示すように、このアクチュエータ部材２４の回動に伴って捻りコイルばね２３の両腕部２３ｂ，２３ｃが拡開し、第１の腕部２３ｂがコモン用固定接点２１に接触した状態に保持されると共に、第２の腕部２３ｃが切換用固定接点２２に接触するため、第１スイッチ１９はオフからオン状態へと切り換わる。
【００１４】
上述したカード２の押し込み操作によってスライダ７がハウジング１の最奥端までオーバストロークされた状態でカード２に対する押し込み力が除去されると、スプリング８の付勢力によりスライダ７がわずかながらカード挿入口５方向に戻される。この間、スライダ７と一体に移動する摺動部材１４のピン１３がハート型カム溝１５の往路１６からロック部１８へと移動し、このロック部１８で係止されるため、カード２は所定の装着位置に至り、スライダ７がロックされる。この状態においては、上述したように第１スイッチ１９がオン状態となるため、カード２が所定の装着位置に装着されたことを検出する信号が第１スイッチ１９から出力される。そして、かかる所定の装着位置においては、カード２の裏面に設けられた図示しない接続部材と図６に示す端子部材６とが接触状態に保たれるため、このカード２に対する書き込み操作を含めて信号の送受信が可能となる。
【００１５】
なお、このようにカード２のプロテクトボタン４が書き込み禁止側に操作されていない状態に保たれ、このカード２がハウジング１の所定の装着位置に保持されている間、図１０（ａ）に示すように、第２スイッチ２０はオフ状態に保たれている。すなわち、カード２のプロテクトボタン４が今は書き込み禁止側に操作されていないので、カード２のプロテクトボタン４とアクチュエータ部材２８とが係合していない。したがって、アクチュエータ部材２８は上方位置に保持され、第２スイッチ２０の捻りコイルばね２７の第２の腕部２７ｃは切換用固定接点２５から離反している。ただし、プロテクトボタン４が書き込み禁止側に操作され、カード２に対するデータの書き込みが禁止された状態にある場合、このカード２をカード挿入口５から挿入してハウジング１の奥側に向かって押し込むと、カード２のプロテクトボタン４が第２スイッチ２０の捻りコイルばね２７を保持するアクチュエータ部材２８の斜面部２８ｃに当接し、このカード２に与えられる押し込み力によってアクチュエータ部材２８が捻りコイルばね２７のばね力に抗して下方向に回動する。その結果、図１０（ｂ）に示すように、このアクチュエータ部材２８の回動に伴って捻りコイルばね２７の両腕部２７ｂ，２７ｃが拡開し、第２の腕部２７ｃが切換用固定接点２６に接触して第２スイッチ２０をオン状態とするため、カード２への書き込みを禁止する信号が第２スイッチ２０から出力される。
【００１６】
カード２の排出操作に際しては、このカード２を再び押す操作が実施される。すなわち、挿入時に１回カード２がプッシュ操作され、排出時に再びカード２がプッシュ操作されるプッシュ・プッシュタイプとなっている。この場合、カード２がハウジング１の所定の装着位置に保持されている状態から、カード２をハウジング１の最奥端まで押し込んで再びオーバストロークさせると、ロック機構１２を構成する摺動部材１４のピン１３がハート型カム溝１５のロック部１８から外れて復路１７へと移動する。これによりスライダ７のロックが解除され、スライダ７がスプリング８の付勢力によってカード挿入口５方向へ移動するため、カード２はスライダ７と共に所定の排出位置まで押し出される。この間、係合弾性部材１０の突出部１１はカード２の凹部２ａに係合した状態に保持され、また、スライダ７の排出方向への移動に伴って摺動部材１４のピン１３はハート型カム溝１５の復路１７に案内されて待機位置に戻される。
【００１７】
また、スライダ７の移動に伴うカード２の移動によって、アクチュエータ部材２４の斜面部２３ｃに与えられていた押圧力が除かれ、捻りコイルばね２３の両腕部２３ｂ，２３ｃのばね力によってアクチュエータ部材２４は上方向に回動し、図９に示す待機位置に復帰する。したがって、捻りコイルばね２３の第２の腕部２３ｃが切換用固定接点２２から離反し、第１スイッチ１９は再びオフ状態となる。この場合、カード２のプロテクトボタン４が書き込み禁止側に操作されていれば、スライダ７の移動に伴うカード２の移動によって、アクチュエータ部材２８の斜面部２８ｃに与えられていた押圧力が除かれるため、第２スイッチ２０も第１スイッチ１９と同様に動作してオフ状態となる。そして、このように所定の排出位置まで戻されたカード２を抜き取ると、カード２の凹部２ａから係合弾性部材１０の突出部１１が離脱するため、カード２をカード挿入口５から容易に抜き取ることができる。
【特許文献１】特開２００４−１８５８２２号公報（第５−９頁、図８）
【発明の開示】
【発明が解決しようとする課題】
【００１８】
前述した従来のカード用コネクタ装置によれば、カード２が所定の装着位置に装着されたことを検出する第１スイッチ１９、及びカード２に対する書き込み禁止を検出する第２スイッチ２０の接点切換構造が、ハウジング１に支持したアクチュエータ部材２４，２８を所定の装着位置に装着したカード２に当接させて押し下げることにより、アクチュエータ部材２４，２８に保持した捻りコイルばね２３，２７の両腕部を拡開させて一対の固定接点間を導通状態にするようになっているので、可動接点である捻りコイルばね２３，２７やそれを保持するアクチュエータ部材２４，２８の幅寸法を比較的小さく設定することができ、それによって装置の小型化を実現できるという利点がある。
【００１９】
しかしながら、前述した従来のカード用コネクタ装置では、アクチュエータ部材２４，２８の移動に伴って捻りコイルばね２３，２７の両腕部が拡開するため、すなわち、第１の腕部２３ｂ，２７ｂと第２の腕部２３ｃ，２７ｃがほぼ同量ずつ外側へ移動するため、切換用固定接点２２，２６に対して接離する第２の腕部２３ｃ，２７ｃの移動ストロークを十分に確保することができなくなる。特に、厚み寸法の薄いカード２を使用すると、アクチュエータ部材２４，２８の移動量が少なくなり、第２の腕部２３ｃ，２７ｃの移動ストロークが例えば０．５ｍｍ程度まで小さくになることがあるが、このような狭い範囲内でオン／オフの切換タイミングを決定するには、各固定接点を有するハウジング１とアクチュエータ部材２４，２８および捻りコイルばね２３，２７を含む各部材に高い加工精度が要求され、このことがカード用コネクタ装置の製造コストを上昇させる大きな要因となっていた。
【００２０】
本発明は、このような従来技術の実情に鑑みてなされたもので、その目的は、カードの装着に伴って動作するスイッチの可動接点として捻りコイルばねを用い、この捻りコイルばねの切換用固定接点に対する移動ストロークを稼げるようにすることで、安価で小型化に好適なカード用コネクタ装置を提供することにある。
【課題を解決するための手段】
【００２１】
上記の目的を達成するために、本発明のカード用コネクタ装置は、カードがハウジングの装着位置に装着されたことを検出する第１スイッチと、前記カードへの書き込み禁止を検出する第２スイッチとを備え、これら第１および第２スイッチの少なくとも一方のスイッチが、前記ハウジングに所定間隔を存して配設されたコモン用固定接点および切換用固定接点と、前記コモン用固定接点に常時接触する第１の腕部および前記切換用固定接点に接離可能な第２の腕部を巻回部の両端から延出させた捻りコイルばねからなる可動接点と、この捻りコイルばねを保持するアクチュエータ部材とを含むと共に、前記ハウジングに前記第１の腕部の移動を規制するストッパ部を設け、前記カードが前記ハウジングの所定位置に装着されたとき、該カードを前記アクチュエータ部材に当接させて前記捻りコイルばねの前記巻回部を押圧することにより、前記ストッパ部で規制された前記第１の腕部に対して前記第２の腕部のみが拡開して前記切換用固定接点に接触するように構成した。
【００２２】
このように構成されたカード用コネクタ装置では、捻りコイルばねを保持するアクチュエータ部材がカードに当接して押圧されると、それに伴って捻りコイルばねの腕部が拡開して両固定接点間を導通状態となすが、その際、捻りコイルばねの両腕部のうち、コモン用固定接点に常時接触する第１の腕部の移動がストッパ部で規制され、第２の腕部のみが拡開して切換用固定接点に接触するため、第２の腕部の切換用固定接点に対する移動ストロークを十分に大きく設定することができる。したがって、このような接点切換構造を有するスイッチを、カードがハウジングの装着位置に装着されたことを検出する第１スイッチと、カードへの書き込み禁止を検出する第２スイッチの少なくとも一方、好ましくは両方に適用すれば、カード用コネクタ装置のトータルコストを低減できると共に小型化を実現することができる。
【００２３】
上記の構成において、前記ストッパ部は前記第１の腕部の移動を規制するものであればハウジング等に設けることも可能であるが、前記ストッパ部が前記コモン用固定接点に折曲形成された段部からなることが好ましく、このような構成を採用すると、構造を簡略化してコストをより一層低減することができる。
【００２４】
また、上記の構成において、前記捻りコイルばねを前記アクチュエータ部材に保持する手段は特に限定されないが、前記アクチュエータ部材の側面に凹部を設け、この凹部内に前記捻りコイルばねの前記巻回部をフリー状態で保持するように構成すると、アクチュエータ部材は捻りコイルばねを押圧する機能を有するものの、第２の腕部と切換用固定接点間のギャップを位置決めする部品とはならず、上記ギャップに対する累積誤差の要因となる部品が捻りコイルばねと固定接点だけとなるため、アクチュエータ部材に要求される加工精度がラフになって生産性がより向上する。
【発明の効果】
【００２５】
本発明のカード用コネクタ装置は、アクチュエータ部材に保持された捻りコイルばねの両腕部のうち、コモン用固定接点に常時接触する第１の腕部の移動をストッパ部で規制し、第２の腕部のみが拡開して切換用固定接点に接触するように構成したので、第２の腕部の切換用固定接点に対する移動ストロークを十分に大きく設定することができる。したがって、このような接点切換構造を有するスイッチを、カードがハウジングの装着位置に装着されたことを検出する第１スイッチと、カードへの書き込み禁止を検出する第２スイッチの少なくとも一方に適用すれば、カード用コネクタ装置のトータルコストを低減できると共に小型化を実現することができる。
【発明を実施するための最良の形態】
【００２６】
発明の実施の形態について図面を参照して説明すると、図１は本発明の実施形態例に係るカード用コネクタ装置の平面図、図２は該カード用コネクタ装置に備えられる第１スイッチと第２スイッチのオフ状態を示す断面図、図３はこれら第１スイッチと第２スイッチのオン動作状態を示す断面図、図４は該第１スイッチのオフ状態を示す斜視図、図５は該第１スイッチのオン動作状態を示す斜視図であり、図６〜図１０に対応する部分には同一符号を付すことで重複する説明を適宜省略してある。
【００２７】
本実施形態例に係るカード用コネクタ装置が図６〜図１０に示す従来例と相違する点は、カード２が所定の装着位置に装着されたことを検出する第１スイッチ１９、及びカード２に対する書き込み禁止を検出する第２スイッチ２０の接点切換構造として、可動接点である捻りコイルばね２３，２７の拡開時に、コモン用固定接点２１，２５側に常時接触する第１の腕部２３ｂ，２７ｂの移動をストッパ部で規制し、第２の腕部２３ｃ，２７ｃのみが拡開して切換用固定接点２２，２６に接触するように構成したことにあり、それ以外の構成は基本的に同じである。
【００２８】
すなわち、第１スイッチ１９の接点切換構造は、ハウジング１に設けられたコモン用固定接点２１および切換用固定接点２２と、可動接点である捻りコイルばね２３と、この捻りコイルばね２３を保持する合成樹脂製のアクチュエータ部材２４とを含んでいるが、コモン用固定接点２１に段部を折曲形成してストッパ部２１ａとなし、このストッパ部２１ａに捻りコイルばね２３の第２の腕部２３ｃを係止させている。また、アクチュエータ部材２４の側面に軸の代わりに凹部２４ｄを設け、この凹部２４ｄ内に捻りコイルばね２３の巻回部２３ａをフリー状態で保持させてあり、これらストッパ部２１ａと凹部２４ｄを追加した点が前述した従来例と大きく相違している。
【００２９】
第２スイッチ２０の接点切換構造も第１スイッチ１９と同様に、ハウジング１に設けられたコモン用固定接点２５および切換用固定接点２６と、可動接点である捻りコイルばね２７と、この捻りコイルばね２７を保持する合成樹脂製のアクチュエータ部材２８とを含んでいるが、コモン用固定接点２５に段部を折曲形成してストッパ部２５ａとなし、このストッパ部２５ａに捻りコイルばね２７の第２の腕部２７ｃを係止させている。また、アクチュエータ部材２８の側面に軸の代わりに凹部２８ｄを設け、この凹部２８ｄ内に捻りコイルばね２７の巻回部２７ａをフリー状態で保持させてあり、これらストッパ部２５ａと凹部２８ｄを追加した点が前述した従来例と大きく相違している。
【００３０】
次に、このように構成されたカード用コネクタ装置の動作について説明すると、本実施形態例に係るカード用コネクタ装置もカード２の装着に伴うロック機構１２等の動作は前述した従来例と同じであるため、ここでは主として第１および第２スイッチ１９，２０の接点切換動作について説明する。
【００３１】
図２と図４に示すように、カード２が挿入される前の待機状態において、第１スイッチ１９側の捻りコイルばね２３の第１の腕部２３ｂはコモン用固定接点２１に接触しているが、第２の腕部２３ｃは切換用固定接点２２から離反しており、カード２が所定の装着位置に装着されたことを検出する第１スイッチ１９はオフ状態となっている。同様に、第２スイッチ２０側の捻りコイルばね２７の第１の腕部２７ｂはコモン用固定接点２５に接触しているが、第２の腕部２７ｃは切換用固定接点２５から離反しており、カード２に対する書き込み禁止を検出する第２スイッチ２０もオフ状態となっている。
【００３２】
いま、カード２のプロテクトボタン４が書き込み禁止側に操作されていない状態に保たれ、このように書き込み操作が可能な状態にあるカード２をカード挿入口５からハウジング１内に挿入した場合、このカード２がハウジング１内の所定の装着位置まで押し込まれると、第１スイッチ１９側のアクチュエータ部材２４の斜面部２３ｃにカード２が当接し、カード２に与えられる押し込み力によってアクチュエータ部材２４が捻りコイルばね２３のばね力に抗して下方向に回動する。そして、このアクチュエータ部材２４の回動に伴って捻りコイルばね２３の巻回部２３ａが下方向へ押圧され、第１および第２の腕部２３ｂ，２３ｃを外側へ押し広げようとする力が発生するが、その際、コモン用固定接点２１に常時接触している第１の腕部２３ｂの移動がストッパ部２１ａで規制されているため、図３（ａ）と図５に示すように、捻りコイルばね２３は第２の腕部２３ｃのみが拡開して切換用固定接点２２に接触し、それによって第１スイッチ１９がオフからオン状態へと切り換わる。
【００３３】
このように、コモン用固定接点２１に接触している第１の腕部２３ｂの移動をストッパ部２１ａで規制することにより、第２の腕部２３ｃの切換用固定接点２２に対する移動ストロークを十分に大きく設定することができるため、第１スイッチ１９の構成部品である両固定接点２１，２２と捻りコイルばね２３およびアクチュエータ部材２４に要求される加工精度が比較的ラフで済み、その分、製造コストを低減することができる。このことを前述した従来例のように捻りコイルばね２３の両腕部が拡開するタイプと比較すると、従来は切換用固定接点２２に対して接離する第２の腕部２３ｃの移動ストロークが約０．５ｍｍであったものが、本実施形態例の場合は第２の腕部２３ｃの移動ストロークを０．８ｍｍまで広くすることができる。また、捻りコイルばね２３の巻回部２３ａがアクチュエータ部材２４の側面に設けた凹部２４ｄ内にフリー状態で保持されているため、アクチュエータ部材２４は捻りコイルばね２３を押圧する押圧部材として機能するだけで、第２の腕部２３ｃと切換用固定接点２２間のギャップを位置決めする部品とはならない。すなわち、上記ギャップに対する累積誤差の要因となる部品が捻りコイルばね２３と固定接点２１，２２だけであるため、アクチュエータ部材２４を高精度に加工する必要がなくなり、この点からも生産性を高めることができる
なお、このようにカード２のプロテクトボタン４が書き込み禁止側に操作されていない状態に保たれ、このカード２がハウジング１の所定の装着位置に保持されている間、図３（ａ）に示すように、第２スイッチ２０はオフ状態に保たれている。すなわち、カード２のプロテクトボタン４が今は書き込み禁止側に操作されていないので、カード２のプロテクトボタン４とアクチュエータ部材２８とが係合していない。したがって、アクチュエータ部材２８は上方位置に保持され、第２スイッチ２０の捻りコイルばね２７の第２の腕部２７ｃは切換用固定接点２５から離反している。
【００３４】
ただし、プロテクトボタン４が書き込み禁止側に操作され、カード２に対するデータの書き込みが禁止された状態にある場合、第２スイッチ２０はカード２によって第スイッチ１９と同様にオン動作される。すなわち、このカード２をカード挿入口５から挿入してハウジング１の奥側に向かって押し込むと、カード２のプロテクトボタン４が第２スイッチ２０側のアクチュエータ部材２８の斜面部２８ｃに当接し、このカード２に与えられる押し込み力によってアクチュエータ部材２８が捻りコイルばね２７のばね力に抗して下方向に回動する。そして、このアクチュエータ部材２８の回動に伴って捻りコイルばね２７の巻回部２３ａが下方向へ押圧されが、コモン用固定接点２５に常時接触している第１の腕部２７ｂの移動がストッパ部２５ａで規制されているため、図３（ｂ）に示すように、捻りコイルばね２７は第２の腕部２７ｃのみが拡開して切換用固定接点２６に接触し、それによって第２スイッチ２０がオフからオン状態へと切り換わる。このように、第２スイッチ２０の接点切換構造も第１スイッチ１９と同様に構成されているため、カード２への書き込み禁止を検出する第２スイッチ２０についても、上記した第１スイッチ１９と同様の効果を奏する。
【００３５】
なお、上記した実施形態例では、本発明の接点切換構造を、カード２がハウジング１の装着位置に装着されたことを検出する第１スイッチ１９と、カード２への書き込み禁止を検出する第２スイッチ２０の両方に適用した場合について説明したが、いずれか一方のスイッチを他の接点切換構造にすることも可能である。
【００３６】
また、上記した実施形態例では、捻りコイルばね２３，２７の第１の腕部２３ａ，２７ｂの移動を規制するストッパ部２１ａ，２５ａをそれぞれコモン用固定接点２１，２５に折曲形成したが、このような機能を有するストッパ部をハウジング１に成形することも可能である。
【図面の簡単な説明】
【００３７】
【図１】本発明の実施形態例に係るカード用コネクタ装置の平面図である。
【図２】該カード用コネクタ装置に備えられる第１スイッチと第２スイッチのオフ状態を示す断面図である。
【図３】該第１スイッチと第２スイッチのオン動作状態を示す断面図である。
【図４】該第１スイッチのオフ状態を示す斜視図である。
【図５】該第１スイッチのオン動作状態を示す斜視図である。
【図６】従来例に係るカード用コネクタ装置の平面図である。
【図７】該カード用コネクタ装置に備えられるロック機構の動作説明図である。
【図８】該カード用コネクタ装置に備えられる第１スイッチと第２スイッチの平面図である。
【図９】図８のIX−IX線に沿う断面図である。
【図１０】該第１スイッチと第２スイッチの動作状態を示す断面図である。
【符号の説明】
【００３８】
１  ハウジング
２  カード
４  プロテクトボタン
５  カード挿入口
２１，２５  コモン用固定接点
２１ａ，２５ａ  ストッパ部
２２，２６  切換用固定接点
２３  捻りコイルばね
２３ａ，２７ａ  巻回部
２３ｂ，２７ｂ  第１の腕部
２３ｃ，２７ｃ  第２の腕部
２４，２８  アクチュエータ部材
２４ｂ，２８ｂ  ピン
２４ｃ，２８ｃ  斜面部
２４ｄ，２８ｄ  凹部
【図１】
2006134812.tif 000003
【図２】
2006134812.tif 000004
【図３】
2006134812.tif 000005
【図４】
2006134812.tif 000006
【図５】
2006134812.tif 000007
【図６】
2006134812.tif 000008
【図７】
2006134812.tif 000009
【図８】
2006134812.tif 000010
【図９】
2006134812.tif 000011
【図１０】
2006134812.tif 000012